【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】  外壁（１０）、内壁（１）、天井板（２０）および／または屋根板（２０）を有し、これらの各々は、スペーサ（４、１４、２４）によって互いに距離を維持され互いに接合された少なくとも１つの内側板（２、１２、２２）と少なくとも１つの外側板（３、１３、３３）とを備え少なくとも一方の方向に連続的に一体に作られた誘導木材製品の板からなっており、また、前記誘導木材製品の板は、そのとき必要な寸法で所望の端部施工で予備組み立てされ、そして、誘導木材製品の板の内側板（２、１２、２２）と外側板（３、１３、３３）との間に空所（５、１５、２５）が形成されているビルディングにおいて、
前記内壁（１）を形成する誘導木材製品の内側板と外側板とにより形成された空所（５）は、加熱装置並びに／もしくは冷房装置に接続されていることを特徴とするビルディング。
【請求項２】  前記外壁（１０）並びに内壁（１）の内側板と外側板とにより形成された空間（５）が、加熱装置並びに／もしくは冷房装置に接続されている請求項１に記載のビルディング。
【請求項３】  前記板により形成された空間（５）が、加熱システムと空調プラントとに接続されている請求項１もしくは２に記載のビルディング。
【請求項４】  前記板により形成された空間（５）が、加熱空気または加熱水の加熱システムに接続されている請求項１ないし３のいずれか１に記載のビルディング。
【請求項５】  前記板により形成された空間（５）が、空気加熱ポンプに接続されている請求項１ないし４のいずれか１に記載のビルディング。
【請求項６】  前記外壁（１０）、内壁（１）、天井板（２０）および／または屋根板（２０）の板により形成された前記空所（５、１５、２５）は、互いに連通している請求項１ないし５のいずれか１に記載のビルディング。
【請求項７】  前記空所（５、１５、２５）は、加熱空気または加熱水の加熱システムに接続されている請求項１ないし６のいずれか１に記載のビルディング。
【請求項８】  前記天井板（２０）の板の端部領域の、外壁（１０）の板への天井板（２０）の板の接続領域には、天井板（２０）の板の空所（２５）を外壁（１）の板の空所（１５）に接合する開口部（２８）が形成されており、また、屋根板（２０）の板（２２）の、外壁（１０）と屋根板（２０）との板との間のひさしの領域には、外壁（１０）の板の空所（１５）を屋根板（２０）の板の空所（２５）に接合する開口部（２８）が形成されている請求項６もしくは７に記載のビルディング。
【請求項９】  前記外壁（１０）、内壁（１）、天井板（２０）および／または屋根板（２０）の内側板並びに外側板（２、３；１２、１３；２２，２３）は、木製のパーティクルボードである請求項１ないし８のいずれか１に記載のビルディング。
【請求項１０】  内側板および/または外側板（２、３：１２、１３：２２、２３）の木の薄片は、異なった方向へ方向付けられた幾つかの、好ましくは３つの、層の木の薄片、または１つの層を有していて、また、本質的に同一方向へ方向付けられた木の薄片を有する請求項９に記載のビルディング。
【請求項１１】  前記スペーサ（４、１４、２４）は、細片である請求項１ないし１０のいずれか１に記載のビルディング。
【請求項１２】  前記スペーサ（４、１４、２４）は、ブロックである請求項１ないし１０のいずれか１に記載のビルディング。
【請求項１３】  前記内壁（１）は、水平方向に連続的に作られた板からなる請求項１ないし１２のいずれか１に記載のビルディング。
【請求項１４】  前記外壁（１０）は、水平方向に連続的に作られた板からなる請求項１ないし１３のいずれか１に記載のビルディング。
【請求項１５】  前記天井板（２０）は、ビルディングの幅または長さの方向に連続的に作られた板により形成されている請求項１ないし１４のいずれか１に記載のビルディング。
【請求項１６】  前記屋根板は、屋根の勾配の方向に連続した板により形成された基礎構造を有している請求項１ないし１５のいずれか１に記載のビルディング。
【請求項１７】  前記外壁（１０）は、水平接合部を有して、互いに頂部に配置されている板により形成されている請求項１ないし１６のいずれか１に記載のビルディング（図２１）。
【請求項１８】  前記内壁（１）は、水平接合部を有して、互いに頂部に配置されている板により形成されている請求項１ないし１７のいずれか１に記載のビルディング（図１９）。
【請求項１９】  前記天井板（２０）は、ビルディングの長さ方向または交差方向に整列された接合部で互いに接合された板により形成されている請求項１ないし１８のいずれか１に記載のビルディング（図２４）。
【請求項２０】  前記屋根（２０）の基礎構造は、屋根の傾斜の方向に整列された接合部で互いに接合された板により形成されている請求項１６ないし１９のいずれか１に記載のビルディング。
【請求項２１】  棟の領域において、屋根板(２０)が、母屋桁(３０)によって支持されている請求項１ないし１３いずれか１項記載のビルディング（図１２、１４、１６）。
【請求項２２】  屋根板(２０)の内側板(２２)は、母屋桁(３０)の頂部領域の輪郭に対向するように作られた輪郭を有している請求項２１に記載のビルディング（図１２、１４）。
【請求項２３】  内壁（１）および外壁（１０）の水平接合の領域において、スペーサ部材(４、１４)は、内壁（１）および外壁（１０）の板の下方の端部におり、また、ペーサ部材(４)は、スペーサ部材（４、１４）の少なくとも突出部によって、内壁（１）および外壁（１０）の板の上方の端部に窪まされている請求項１ないし２２のいずれか１に記載のビルディング（図１９、２１）。
【請求項２４】  天井板および屋根板（２０）として互いに境を接する端部は、対向する輪郭に作られている請求項１ないし２３のいずれか１に記載のビルディング（図２３、２４）。
【請求項２５】  端部が互いに境を接する天井板および屋根板（２０）の端部は、フック状に折り畳まれているように作られている請求項２４に記載のビルディング（図２３、２４）。
【請求項２６】  前記外壁（１０）、内壁（１）、天井板（２０）および屋根板（２０）の板内の空所(５、１５、２５)は、少なくとも部分的に材料が充填されている請求項１ないし２５のいずれか１に記載のビルディング。
【請求項２７】  前記外壁（１０）、内壁（１）、天井板（２０）および屋根板（２０）の板の空所(５、１５、２５)内に設備が配置されている請求項１ないし２６のいずれか１に記載のビルディング。
【請求項２８】  内壁（１）および／または外壁（１０）の板は、一方の側に１つの板(１２)を、また、他方の側に互いに直接接合され且つ互いに平坦にされた２つの板（１３）を有し、これら１つの板（１２）と２つの板(１３)とは、スペーサ(１４)によって互いに接続されかつ一定の距離で保持されている請求項１ないし２７のいずれか１に記載のビルディング（図３、４）。
【請求項２９】  前記ビルディングの天井板および屋根板(２０)の板は、スペーサ（２４）によって所定の距離離間されて互いに接合された２つの板(２２，２３)を有し、これらスペーサ(２４)は、前記内壁(１)の板のスペーサ(４)よりも厚い請求項１ないし２８のいずれか１に記載のビルディング（図５、６）。